(57)【要約】      （修正有）【課題】従来の木質小根太入りのマット本体と同様に釘打ちができると共にネダレスタイプとしても利用できる適性を兼ね備えた床暖房用温水マットに用いられるマット本体を提供する。【解決手段】床暖房用温水マットに用いられるマット本体１において、小根太２を発泡樹脂製とする。このように、小根太２を発泡樹脂製とすることにより、フローリング仕上げに際しては発泡小根太２の部分に釘打ちができ、ネダレスタイプに用いては発泡小根太２は木質小根太に比較して足触りが良い。この結果、マット本体１は釘打ちタイプとネダレスタイプの双方にそのまま用いることができる適性がある。【選択図】図１
2010117050.tif 000002
【特許請求の範囲】
【請求項１】
発泡樹脂で成形されたマット本体に対し、前記マット本体側よりも硬質の発泡樹脂で成形された発泡小根太を挿入して成る床暖房用温水マットに用いられるマット本体。
【請求項２】
前記マット本体は、発泡ポリエチレン又は発泡ポリスチレンで成形されていることを特徴とする請求項１に記載の床暖房用温水マットに用いられるマット本体。
【請求項３】
前記発泡小根太は、発泡ポリエチレン又はポリスチレン又はＡＢＳ樹脂で成形されていることを特徴とする請求項１に記載の床暖房用温水マットに用いられるマット本体。
【請求項４】
前記マット本体側に対して発泡小根太側の発泡倍率を小さく設定することによりマット本体側に対して小根太側の硬度が高くなるように設定して成る請求項１に記載の床暖房用温水マットに用いられるマット本体。
【発明の詳細な説明】
【発明の属する技術分野】
【０００１】
本発明は、床暖房用温水マットに用いられるマット本体に関し、更に詳しくは、フローリング仕上げのように釘打ちを必要とする木質小根太入りの温水マットと、釘打ちを必要としない所謂ネダレスタイプの温水マットの双方に用いることができる適性を備えたマット本体に関する。
【従来の技術】
【０００２】
床暖房用温水マットに用いられるマット本体は、フローリング仕上げ用として、特開２００５−２４１０７１号公報に紹介されているようなマット本体に木質小根太を挿入し、この木質小根太にフローリング床材を釘打ちして床仕上げを行うタイプのものと、特開２００７−２１２１３７号公報に紹介されているように、釘打ちを必要としないネダレスタイプのものに分けることができる。
【特許文献１】特開２００５−２４１０７１号公報
【特許文献２】特開２００７−２１２１３７号公報
【発明の開示】
【発明が解決しようとする課題】
【０００３】
このため、温水マットのメーカーでは、木質小根太が使用されたマット本体とネダレスタイプのマット本体の二種類を製造し、これを施工条件に合わせて使い分けていることから、次のような問題があった。
【０００４】
１．二種類のマット本体を製造するため、製造コストが嵩むと共に製品管理がしにくい。
【０００５】
２．例えばカーペット仕上げの部屋をフローリング仕上げの部屋にリフォームしたり、
この反対のリフォームを行う場合には、床材に併せてマット本体を木質小根太入りのものからネダレスタイプのものに、又はこの反対のものに張り替える必要があるため、経費が嵩むと共に未だ使用できるマット本体を廃棄することになるため、省資源に反する。
【０００６】
３．その他、木質小根太を挿入したマット本体の場合、次のような欠点がある。
【０００７】
３−１．床に水をこぼしたような際、あるいは床下の湿気を木質小根太が吸い込んだりすると、木質小根太が膨張して床に歪みが発生したり、木質なるが故に虫が発生したりする。
【０００８】
３−２．発泡樹脂製のマット本体に手作業で木質の小根太を組み付けるため、マット本体の製造に手間がかかり、製作コストが上昇する。
【０００９】
３−３．木質小根太の場合、フローリング床上の音がこの木質の小根太を介して階下に伝わり易い。
【００１０】
３−４．古くなったマット本体を廃棄処分する際、マット本体と木質小根太を分別する必要があるため、経費がかかる。
【００１１】
３−５．発泡樹脂に比較して木質小根太の場合重量があるため、１枚のマット本体に５〜１２本の木質小根太が入ると、マット本体の重量が嵩み、特に大型のマット本体の場合には運搬や施工において負担となる。
本発明は、叙上の如き点に鑑みて提供されるものであって、その目的は、従来の木質小根太入りのマット本体と同様に釘打ちができるばかりでなく、ネダレスタイプのマット本体の適性を兼ね備えた床暖房用温水マットに用いられるマット本体を提供することである。
【課題を解決するための手段】
【００１２】
上記目的を達成するため、請求項１に記載の発明においては、床暖房用温水マットに用いられるマット本体において、発泡樹脂で成形されたマット本体に対し、前記マット本体側よりも硬質の発泡樹脂で成形された小根太を挿入して成ることを特徴とするものである。
【００１３】
この発明によると、小根太を木質に替えて硬質発泡樹脂製としたことにより、フローリング仕上げにおいては釘打ちができ、ネダレスタイプにおいては足触りが良いことから双方の適性を兼ね備えたマット本体を得ることができる。
【００１４】
この結果、特に製造コストが安くなり、製品管理がしやすくなると共に木質小根太の場合、マットの総重量が増したり、湿気を吸収したり、虫がついたりするという問題があったが、これらの問題が無くなる。
【００１５】
次に、請求項２に記載の発明においては、請求項１に記載のマット本体において、マット本体は、発泡ポリエチレン又は発泡ポリスチレンで成形されていることを特徴とするものである。
【００１６】
更に、請求項３に記載の発明においては、請求項１に記載のマット本体において、発泡小根太は、発泡ポリエチレン又はポリスチレン又はＡＢＳ樹脂で成形されていることを特徴とするものである。
【００１７】
更に、請求項４に記載の発明においては、請求項１に記載のマット本体において、発泡小根太側の発泡倍率をマット本体側の発泡倍率よりも小さく設定することによりマット本体側に対して発泡小根太側の硬度が高くなるように設定して成ることを特徴とするものである。
【００１８】
以上に記載した本発明に係るマット本体は、発泡小根太間に渡り部が形成され、この渡り部を経由して温水パイプが蛇行配管される。その上で、上面にアルミニュウム箔製の放熱シートが張り合わされて温水マットとなる。この温水マットは、フローリング仕上げにおいてはこの上にフローリング床材を乗せた上で発泡小根太の部分に釘打ちを行ない固定される。一方、ネダレスタイプにおいては、直接放熱シート上にカーペット等の床材が敷かれる。
熱源機から供給された約40〜80℃の温水は、マット本体に蛇行配管された温水パイプ内を一巡して熱源機に戻る。
【発明の効果】
【００１９】
本発明は以上のとおり、小根太を発泡樹脂製としたことにより、次の効果を奏する。
１．釘打ちを必要とするフローリング仕上げにおいては、発泡樹脂製の小根太に釘打ちができると共に小根太が発泡樹脂製のため、木質に比較して足触りが良く、よってカーペットやコルクタイルあるいは畳仕上げ用にもそのまま利用できるという釘打ちタイプとネダレスタイプの双方の適性を兼ね備えたマット本体を提供できる。
この結果、メーカーでは製品管理がしやすいと共に製造コストも安くなり、更に、リフォーム時に温水マットを入れ替える必要がなくなり、リフォーム経費の軽減と資源の有効利用を図ることができる。
【００２０】
２．発泡小根太は木質でないため、湿気を吸収して床を歪めたり、虫がついたりする心配がない。
【００２１】
３．発泡小根太は、木質の小根太に比較して遮音性が高く、階下の防音対策として有効である。
【００２２】
４．発泡小根太は、木質に比較して軽量であることから、温水マットの総重量を２０〜３０％軽減することができる。この結果、運搬や施工がしやすくなる。
【００２３】
５．放熱シートを除き温水マット全体が樹脂製となるため、廃棄物としての処理がしやすくなる。
【実施例１】
【００２４】
図１乃至図３に基づいて請求項１乃至４に記載した本発明の実施例を詳述する。図１はマット本体の平面図、図２はＡ―Ａ´線拡大断面図、図３は発泡小根太の形状の実施例の説明図である。
上記各図において、１は発泡ポリスチレン製のマット本体であって、このマット本体１には、発泡倍率をマット本体１側よりも小さく抑えて硬度を高めた発泡ポリエチレン製の小根太（以下、「発泡小根太」という。）２が従来のマット本体と同じように３０３ｍｍピッチで挿入されている。
【００２５】
４は発泡小根太２間に形成された渡り３を経由しながら蛇行配管された温水パイプ、５は温水ヘッダーである。
【００２６】
６は前記配管が行われた表面に貼り合わせられたアルミニウム箔製の放熱シートである。
【００２７】
７は前記放熱シート６の上に施工されたフローリング床材であって、このフローリング床材７は、釘８により発泡小根太２に打ち止めされている。
このように、発泡小根太２は、従来の木質小根太と同様に、フローリング床材７の支持と釘打ち用に用いられる。
【実施例２】
【００２８】
本実施例は、発泡小根太２の断面形状の実施例であって、図３（Ａ）は従来の木質小根太と同様に断面四角形の発泡小根太の例、図３（Ｂ）は発泡小根太２を台形状に形成した例、図３（Ｃ）は断面逆台形状の例、図３（Ｄ）は断面Ｔ字状の例、図３（Ｅ）は断面工字状の例である。
【００２９】
なお、以上に説明した発泡小根太２は、マット本体１側の発泡ポリスチレンに対して発泡倍率を小さくすることによりマット本体１側よりも硬度を高くした例であるが、この発泡倍率で硬度を設定するのではなく、発泡小根太２の成形に用いる発泡樹脂を例えば発泡ポリスチレンあるいは発泡ＡＢＳ樹脂等を用いて同様に硬度を設定するようにしても良い。
【図面の簡単な説明】
【００３０】
【図１】本発明に係るマット本体の説明図
【図２】Ａ―Ａ´線拡大断面図
【図３】（Ａ）乃至（Ｅ）は発泡小根太の断面の実施例の説明図
【符号の説明】
【００３１】
１．マット本体
２．発泡小根太
３．渡り
４．温水パイプ
５．温水ヘッダー
６．放熱シート
７．フローリング床材
８．釘
【図１】
2010117050.tif 000003
【図２】
2010117050.tif 000004
【図３】
2010117050.tif 000005